(57)【要約】      （修正有）【課題】長期間の使用によっても汚れることが無いとともに、筆記以外にも多様な目的を持たせることができる筆記用紙を提供する。【解決手段】紙製の用紙本体２と、用紙本体２の少なくとも一方の面に形成したコーティング層３とを具備した筆記用紙であって、コーティング層は、珪藻土とチタンアパタイトを混ぜ合わせて製造したコーティング材を用紙本体２に塗布することで形成したことを特徴としており、チタンアパタイトの作用によって、筆記用紙に付着した汚れを分解するために、長期間の使用によっても汚れることが無く、また、一般家庭、学校、職場等の室内、屋内に置いておくことで、珪藻土の分解消臭効果、抗酸化作用等によって、室内の除湿、消臭等を行うことで室内の住環境を良くすることができ、従って、筆記以外の目的にも使用することができて使用用途を広げることができる。【選択図】図２
0003186738.tif 000002
【実用新案登録請求の範囲】
【請求項１】
紙製の用紙本体（２）と、
該用紙本体（２）の少なくとも一方の面に形成したコーティング層（３）と、を具備した筆記用紙であって、
前記コーティング層（４）は、珪藻土と光触媒を混ぜ合わせて製造したコーティング材を前記筆記用紙本体（２）に塗布することで形成した、ことを特徴とする筆記用紙。
【請求項２】
前記コーティング材は、珪藻土とチタンアパタイトを混ぜ合わせて製造したコーティング材であることを特徴とする請求項１に記載の筆記用紙。
【考案の詳細な説明】
【技術分野】
【０００１】
本考案は、ノートやルーズリーフ用紙、メモ用紙、レポートパッド等の各種の筆記用紙に係り、より詳しくは、用紙本体の少なくとも一方の面に、珪藻土とチタンアパタイトを混ぜ合わせて製造したコーティング材を塗布することでコーティング層を形成してなることを特徴とする筆記用紙に関する。
【背景技術】
【０００２】
一般的に、冊子状に綴じられた各種のノートや、ルーズリーフのリフィルなどに使用されるルーズリーフノート用紙、メモ帳、メモ用紙等の各種の筆記用紙は薄い紙から構成されている。そして、一般的に筆記用紙は、使用者のニーズの多様化に合わせて様々な色や模様のものが提供されているが、長期間使用しているうちに、汚れが付着してしまい見栄えが悪くなってしまうという問題点が指摘できる。
【０００３】
また、筆記用紙は当然筆記のために用いられるものであり、それ以外の用途にもちいられることはほとんど無いが、筆記用紙はその目的から、一般家庭、学校、職場等のありとあらゆる場所に存在するものであるため、筆記以外の目的にも使用できれば使用範囲が広がると考えられる。
【０００４】
この点従来から、筆記面のレイアウト等を工夫して書き易くかつ読み易くした筆記用紙が提案されているが、筆記用紙としての域を出ることは無く、筆記用紙に新規な目的を付与したものではなかった。
【先行技術文献】
【特許文献】
【０００５】
【特許文献１】実用新案登録第３１６９６２３号公報
【特許文献２】実用新案登録第３１５９２２４号公報
【特許文献３】実用新案登録第３１５６３４０号公報
【特許文献４】実用新案登録第３１４６１７９号公報
【考案の概要】
【考案が解決しようとする課題】
【０００６】
そこで、本考案は、長期間の使用によっても汚れることが無いとともに、筆記以外にも多様な目的を持たせることができる筆記用紙を提供することを課題としている。
【課題を解決するための手段】
【０００７】
本考案の筆記用紙は、
紙製の用紙本体と、
該用紙本体の少なくとも一方の面に形成したコーティング層と、を具備した筆記用紙であって、
前記コーティング層は、珪藻土と光触媒を混ぜ合わせて製造したコーティング材を前記筆記用紙本体に塗布することで形成した、ことを特徴としている。
【考案の効果】
【０００８】
本考案の筆記用紙は、用紙本体と、この用紙本体の少なくとも一方の面に形成したコーティング層を具備しており、コーティング層は、珪藻土と光触媒を混ぜ合わせて製造したコーティング材を前記筆記用紙本体の表面に塗布することで形成している。
【０００９】
そのために、コーティング層を構成している光触媒の作用によって筆記用紙に付着した汚れを分解することができるので、長期間使用している場合でも、筆記用紙が汚れることが無く、特に、使用者のニーズに応じて模様を描いている筆記用紙の場合には、長時間経過した場合でも模様が汚れることが無く、きれいなままで使用を続けることが可能である。
【００１０】
また、コーティング層を構成している珪藻土の作用によって、筆記用紙が室内の住環境を良くすることに貢献することができる。即ち、珪藻土は分解消臭効果、抗酸化作用等を発揮するために、例えば、本考案の筆記用紙を室内に置いておくのみで、室内の除湿、消臭等を行うことが可能であり、室内の住環境を良くすることができ、それにより、本考案の筆記用紙では、筆記以外にも多様な目的を持たせることができる。
【図面の簡単な説明】
【００１１】
【図１】本考案の筆記用紙の実施例の正面図である。
【図２】図１におけるＡ−Ａ線断面構造の一部を拡大して示した図である。
【考案を実施するための形態】
【００１２】
本考案の筆記用紙は、紙製の用紙本体を有しており、この用紙本体における少なくとも一方の面には、コーティング層が形成されている。
【００１３】
そして、用紙本体の少なくとも一方の面に形成されているコーティング層は、珪藻土と光触媒を混ぜ合わせて製造したコーティング材を、筆記用紙本体の面に塗布することで形成している。
【００１４】
ここで、コーティング材は、珪藻土とチタンアパタイトを混ぜ合わせて製造するとよく、これにより、チタンアパタイトが有する優れた吸着力によって、筆記用紙に付着した汚れ、菌等をほとんど分解することが可能となる。
【実施例１】
【００１５】
本考案の筆記用紙の実施例について図面を参照して説明すると、図１は、本実施例の筆記用紙の正面図であり、また図２は図１におけるＡ−Ａ線断面構造の一部を拡大して示した断面図である。
【００１６】
そして、図において１が本実施例の筆記用紙であり、本実施例の筆記用紙１は、筆記用紙本体と、この筆記用紙本体の表裏面に形成されたコーティング層とを具備して構成されている。
【００１７】
即ち、図２において２が筆記用紙本体であり、本実施例において前記筆記用紙本体は、一般的な筆記用紙と同様に薄い紙製としており、寸法、形状は特に限定されていない。
【００１８】
そして、この筆記用紙本体２の表裏面には、コーティング層が形成されている。即ち、図において３がコーティング層である。即ち、本実施例の筆記用紙１では、前記筆記用紙本体２の表裏面にコーティング層３が形成されており、このコーティング層３の存在により、室内の吸湿、調湿、及び筆記用紙の防汚作用を発揮することを可能としている。
【００１９】
ここで、前記コーティング層３について説明すると、本実施例において、前記コーティング層３は、珪藻土と光触媒を混ぜ合わせて製造したコーティング材を、筆記用紙本体２の表裏面に塗布することで形成しており、光触媒としては、アパタイト結晶中に酸化チタンを導入して製造されるチタンアパタイトを用いている。
【００２０】
従って、本考案の筆記用紙１では、筆記用紙本体２の表裏面に形成した前記コーティング層３を構成する光触媒が筆記用紙１に付着した汚れを分解するために、長期間の使用によっても汚れることが無いとともに、珪藻土の作用により、室内の湿気を吸収して室内の調湿を行うことが可能であり、筆記以外の目的を持たせることも可能である。
【００２１】
即ち、周知のようにチタンアパタイトは、富士通研究所と東京大学先端科学技術研究センターの共同研究で開発されたもので、アパタイト結晶中に酸化チタンを導入して製造され、有機物を確実に吸着するアパタイトの機能と、吸着した有機物を水と二酸化炭素にまで完全に酸化分解する酸化チタンの効果を併せ持つために、このチタンアパタイトを珪藻土と混ぜ合わせて製造したコーティング材を塗布して形成したコーティング層を備えた本実施例の筆記用紙では、長期間の使用によっても汚れることが無く、従って、特に、使用者の好みによって模様を描いている筆記用紙の場合には、長時間経過した場合でも模様が汚れることが無く、きれいなままで使用を続けることが可能である。
【００２２】
一方、珪藻土は吸湿機能が大きいとともに自律的に呼吸するために半永久的に調湿機能を発揮することができるために、この珪藻土とチタンアパタイトを混ぜ合わせて製造したコーティング材を塗布して形成したコーティング層を備えた本実施例の筆記用紙では、珪藻土の作用により、コーティング層３が室内の余分な湿気を吸収して室内の湿度を自動的に調節することができる。
【００２３】
また、珪藻土には生活臭や有害物質を吸着、脱臭する働きがあり、化学物質や悪臭物質を分解することができるために、この珪藻土を含んだコーティング層を備えた本実施例の筆記用紙１では、これを室内に置いておくことで、室内に漂う化学物質や悪臭を分解、消臭するとともに、「分解消臭」であるために永久的に効果を持続することができる。
【００２４】
更に、珪藻土は抗酸化作用を有しており、周囲の湿気を「高い抗酸化作用を持つ湿気」に変えて老化や病気の元である活性酸素をほとんど無くし、更に化学物質や静電気などのプラスイオンを中和、除去し、その結果、人や犬、猫などのペット、植物の健康にとって欠かせない「自然界のマイナスイオン優位の空気」を作り出し、このマイナスイオン優位の空気は、免疫力の向上、生体機能の正常化、リラックス効果などをもたらすために、本実施例の筆記用紙を室内に置いておくことで、室内を自然界のマイナスイオン優位の空気の雰囲気にすることができる。
【００２５】
従って、本実施例の筆記用紙１を一般家庭、学校、職場等の室内、屋内に置いてある場合には、コーティング層を構成する珪藻土が室内の余分な湿気を吸収して室内の湿度を自動的に調節するとともに、室内に漂う化学物質や悪臭を分解、消臭し、更に、室内を自然界のマイナスイオン優位の空気の雰囲気にすることができため、筆記以外の目的にも使用することができて使用用途を広げることができる。
【００２６】
このように、本実施例の筆記用紙１では、珪藻土とチタンアパタイトを混ぜ合わせて製造したコーティング材を筆記用紙本体２の表裏面に塗布することでコーティング層を形成しているために、長期間経過した場合でも筆記用紙が汚れることが無い。また、本実施例の筆記用紙を一般家庭、学校、職場等の室内、屋内に置いておくことのみで、室内の除湿、消臭等を行うことで室内の住環境を良くすることができ、従って、筆記以外の目的にも使用することができて使用用途を広げることができる。
【００２７】
なお、前述の説明では、用紙本体２の表裏面にコーティング層３を形成した構成を説明したが、コーティング層３は必ずしも用紙本体２の表裏面に形成する必要は無く、用紙本体２の一方の面のみに形成しても良い。
【００２８】
また、前記コーティング層３の形成方法は特に限定されず、スクリーン印刷やコーター印刷によって筆記用紙本体２にコーティング材を塗布して、これによりカバ下身本体２にコーティング層３を形成するとよい。
【産業上の利用可能性】
【００２９】
本考案の筆記用紙では、珪藻土と光触媒を混ぜ合わせて製造したコーティング材によってコーティング層を形成しており、これにより、長期間使用した場合でも汚れることが無く、また、室内に置いておくことで、室内の除湿、消臭等を行うことで室内の住環境を良くすることができ、従って、筆記以外の目的にも使用することができて使用用途を広げることができるため、筆記用の用紙の全般に適用可能である。
【符号の説明】
【００３０】
１    筆記用紙
２    用紙本体
３    コーティング層
【図１】
0003186738.tif 000003
【図２】
0003186738.tif 000004
【手続補正書】
【提出日】平成25年8月20日(2013.8.20)
【手続補正１】
【補正対象書類名】実用新案登録請求の範囲
【補正対象項目名】請求項１
【補正方法】変更
【補正の内容】
【請求項１】
紙製の用紙本体（２）と、
該用紙本体（２）の少なくとも一方の面に形成したコーティング層（３）と、を具備した筆記用紙であって、
前記コーティング層（３）は、珪藻土と光触媒を混ぜ合わせて製造したコーティング材を前記筆記用紙本体（２）に塗布することで形成した、ことを特徴とする筆記用紙。